(57)【要約】【課題】本発明は、スギやヒノキ等の木材チップを内部に収容する木材チップ包装体及び木材チップ包装体入り枕において、花粉症等のアレルギー性疾患に対して、人に木材チップの木香等を吸引させつつも、粉塵となった木粉を吸引しないようにした木材チップ包装体及び木材チップ包装体入り枕を提供することを目的とする。【解決手段】木材チップ包装体１は、外側をポリプロピレン製のエアフィルタ材２０で構成した袋体２で構成して、この袋体２の内側に、スギの薄板チップ材で構成したスギチップ（木材チップ）３を収容して構成している。このエアフィルタ材２０は、エアフィルタ区分が中性能であって、捕集効率が、ＪＩＳ規格において、ＪＩＳ  Ｂ  ９９０８：２００１の試験方法形式２における比色法で６５％のエアフィルタを用いている。【選択図】図１
2014171516.tif 000002
【特許請求の範囲】
【請求項１】
袋体と、該袋体の内部に収容され、花粉症の原因となる木材からなる木材チップとを備える木材チップ包装体であって、
前記袋体は、粉塵に対する捕集効率が、ＪＩＳ  Ｂ  ９９０８：２００１で規定された試験方法形式２の比色法で６５％以上であるエアフィルタ材で構成されたことを特徴とする木材チップ包装体。
【請求項２】
請求項１記載の木材チップ包装体において、
前記木材チップは、０℃以上６０℃未満の温度で自然乾燥させた木材から製造されたものであることを特徴とする木材チップ包装体。
【請求項３】
請求項１又は請求項２記載の木材チップ包装体において、
前記木材チップは、巻いたカール形状に形成されたものであることを特徴とする木材チップ包装体。
【請求項４】
請求項１乃至３のいずれか一に記載の木材チップ包装体からなる、第一クッション層と、
該第一クッション層の下側に配置され、木材チップを有しない第二クッション層とを備えて、
前記第一クッション層が枕袋の上側位置に配置されて、前記第二クッション層が枕袋の下側位置に配置されたことを特徴とする木材チップ包装体入り枕。
【発明の詳細な説明】
【技術分野】
【０００１】
この発明は、スギ花粉症等のアレルギー性疾患に対して、免疫力を高めて症状の発生をなくす又は緩和するための木材チップ包装体及び木材チップ包装体入り枕に関する。
【背景技術】
【０００２】
近年、スギ花粉等の植物の花粉が鼻や目などの粘膜に接触することによって、くしゃみ、鼻水、鼻詰まり、目のかゆみなどの症状が発生する、いわゆる「花粉症」と言われるアレルギー性疾患の患者が急増している。
【０００３】
従来、この花粉症の対策としては、一般に、薬剤を使って各症状を抑える対症療法が知られている。また、花粉等の原因物質を体内に取り込まないように、マスクやメガネを装着することも知られている。
【０００４】
しかし、こうした対症療法等では、根本的に花粉症を治癒することにならず、毎年、花粉が飛ぶ季節（２月〜６月頃）になると、同じ症状が発生するため、患者は、毎年同じ対策を採るしかなかった。そこで、現在、「花粉症」そのものを治癒する根治療法を開発することが望まれている。
【０００５】
この花粉症の根治療法としては、いまだ十分ではないものの、下記特許文献１にあるように、アレルゲン免疫療法というものが知られている。このアレルゲン免疫療法とは、原因物質の花粉等から抽出されるタンパク質および糖タンパク質（天然酵素）の溶液を、皮下注射することによって、体内に免疫を作る方法である。このアレルゲン免疫療法では、一定期間、繰り返して皮下注射を行うことにより、体内に徐々に免疫を作って、症状の発生をなくす又は緩和する方法が採られる。
【０００６】
また、下記特許文献２では、段落番号［０００５］に「逆転の発想により杉・桧の木香を睡眠時間に吸入すると花粉症の予防となる充填物を単体又は混合して挿入し、」と記載され、枕の中にスギやヒノキのチップを入れることで、睡眠中にスギやヒノキの木香を吸入させて、花粉症の予防を図ろうとするものが開示されている。
【先行技術文献】
【特許文献】
【０００７】
【特許文献１】特表２００８−５３０５３７号公報
【特許文献２】特開２０１０−３６００３号公報
【発明の概要】
【発明が解決しようとする課題】
【０００８】
ところで、こうしたアレルギー性疾患は、人によってその疾患症状の程度が異なり、また、完全治癒もなかなか難しい。
【０００９】
前述の特許文献１記載のアレルゲン免疫療法のように、皮下注射することで体内に免疫を作る治療法では、どの程度の回数を皮下注射すれば、花粉症が完全治癒するのか不明であり、また、皮下注射を継続的に行わなければならないため、肉体的、金銭的に、患者に大きな負担を強いることになり、治療方法として現実的でない。
【００１０】
一方、特許文献２記載のように、枕の中にスギやヒノキのチップを混入することで、睡眠中にスギやヒノキの木香を吸入させて、花粉症の予防を図る方法では、一度、枕を購入して、継続的に枕を使用すれば、花粉症の予防が図れると思われるため、肉体的にも、金銭的にも、患者に大きな負担を与えることがなく、花粉症の根治療法としては望ましい。
【００１１】
しかしながら、この特許文献２記載の方法についても、次のような問題がある。
【００１２】
すなわち、通常、枕の中にスギやヒノキ等の木材チップを入れて使用した場合、長期間に亙り枕を使用することで、この木材チップが粉砕されて細かい粉状になる。これに対して、特許文献２では、チップ等を「織り布の布袋」に入れて枕を構成することは開示されているが、この「織り布の布袋」の具体的な材質や構成は開示されていない。
【００１３】
当然、人にスギやヒノキの木香を吸入させる必要があるため、通気性のある材質で構成されていることは考えられるが、単に通気性のある布材で構成した場合には、粉砕されて粉状となったスギやヒノキが、粉塵となって、そのまま布袋から放出されるおそれがある。この場合には、粉塵となった木粉を人が吸い込んでしまうおそれがあり、かえって健康被害を生じさせる可能性があるのである。
【００１４】
そこで、本発明は、スギやヒノキ等の木材チップを内部に収容する木材チップ包装体及び木材チップ包装体入り枕において、花粉症等のアレルギー性疾患に対して、人に木材チップの木香等を吸引させつつも、粉塵となった木粉を吸引しないようにした木材チップ包装体及び木材チップ包装体入り枕を提供することを目的とする。
【課題を解決するための手段】
【００１５】
この発明の木材チップ包装体は、内部に木材チップを収容する木材チップ包装体において、木材チップを包み込む袋体を、木材チップの木香等については通過させつつも、木材チップの木粉については、通過させない素材で構成するものである。
【００１６】
なお、本発明で、「木材チップ」とは、木材を切断して作られるチップ片や加工片、また、木材を加工した際に生成されるカンナ屑、オガ屑等の加工屑などを含む、「木材の小片体一般」を示す言葉として使用する。
【００１７】
具体的には、第１の発明は、袋体と、該袋体の内部に収容され、花粉症の原因となる木材からなる木材チップとを備える木材チップ包装体であって、前記袋体は、粉塵に対する捕集効率が、ＪＩＳ  Ｂ  ９９０８：２００１で規定された試験方法形式２の比色法で６５％以上であるエアフィルタ材で構成されたことを特徴とする木材チップ包装体である。
【００１８】
上記構成によれば、木材チップ包装体の袋体を、ＪＩＳ  Ｂ  ９９０８：２００１で規定された試験方法形式２の比色法で、捕集効率が６５％以上のエアフィルタ材で構成したことで、粒径が約１０μｍ〜１０００μｍ程度である木材チップの木粉は、このエアフィルタ材で捕集される。一方、木材チップの木香等は、袋体がエアフィルタ材で構成されているために、袋体に捕集されず、袋体を通過する。
【００１９】
このため、本発明の木材チップ包装体は、該包装体からの木材チップの木粉の放出を確実に抑えつつも、木材チップの木香等についてはスムーズに外部に放出させることができる。
【００２０】
また、第２の発明は、第１の発明において、前記木材チップは、０℃以上６０℃未満の温度で自然乾燥させた木材から製造されたものであることを特徴とする木材チップ包装体である。
【００２１】
上記構成によれば、木材チップを０℃以上６０℃未満の温度で自然乾燥させた木材から製造することで、天然木の花粉症の免疫力を向上させる「天然酵素」を、死活させることなく、木材チップ内にそのままの状態で存在させることができる。
【００２２】
すなわち、通常、木材加工をする場合には、木材を６０℃以上の高温で乾燥処理（いわゆる高温乾燥処理）して害虫発生等を防ぐが、このように高温処理すると、熱に弱い「天然酵素」も死活してしまい、木材内に「天然酵素」が存在しないことになる。そこで、天然酵素をそのままの状態で木材チップ内に存在させるために、０℃以上６０℃未満の温度で自然乾燥した木材から木材チップを製造するのである。
【００２３】
このため、木材チップ内には「天然酵素」が存在するため、木材チップ包装体から木材チップの「天然酵素」を外部へ放出させることができる。
【００２４】
よって、本発明の木材チップ包装体は、木材チップ内の「天然酵素」を人に吸引させることができるため、花粉症等のアレルギー性疾患に対してより確実に免疫力を向上させることができる。
【００２５】
また、第３の発明は、前記第１の発明又は前記第２の発明において、前記木材チップは、巻いたカール形状に形成されたものであることを特徴とする木材チップ包装体である。
【００２６】
上記構成によれば、木材チップを巻いたカール形状に形成したことで、袋体内に入れた状態でも、隣り合う木材チップ材同士が重なり合うことがないため、最大限に木材チップの表面積を確保することができ、より効果的に天然酵素や木香を放出することができる。
【００２７】
また、第４の発明は、前記第１の発明乃至前記第３の発明のいずれか一の木材チップ包装体からなる第一クッション層と、該第一クッション層の下側に配置され、木材チップを有しない第二クッション層とを備えて、前記第一クッション層が枕袋の上側位置に配置されて、前記第二クッション層が枕袋の下側位置に配置されたことを特徴とする木材チップ包装体入り枕である。
【００２８】
上記構成によれば、木材チップ包装体を第一クッション層として上側位置に配置して、木材チップを有しない第二クッション層を下側位置に配置して、枕を構成したため、枕の使用者が、好みに応じて、木材チップ包装体を、枕の表側（上面側）に位置させたり、木材チップを有しない第二クッション層を枕の表側（上面側）に位置させたりすることができる。
【００２９】
このため、木材チップの木香や天然酵素の吸い込み量を、使用者のニーズに応じて調整することができる。例えば、木香や天然酵素を多めに吸い込みたい場合には、使用者は第一クッション層を表側（上面側）となるように枕を使用すれば、使用者の頭部の下に木材チップ包装体が位置するため、多くの木香や天然酵素を吸い込むことができる。一方、木香や天然酵素の吸い込み量を少なくしたい場合には、使用者は第二クッション層を表側（上面側）となるように枕を使用すれば、使用者の頭部の下には木材チップ包装体が位置せず、敷き布団と第二クッション層の間に木材チップ包装体が位置するため、木材チップの木香や天然酵素の放出が少なくなり、結果的に木香や天然酵素の吸い込み量を少なくできる。
【００３０】
よって、本発明の木材チップ包装体入り枕では、木材チップの木香や天然酵素の吸い込み量を、使用者の好みに応じて、自由に調整することができる。
【発明の効果】
【００３１】
本願発明の木材チップ包装体及び木材チップ包装体入り枕によれば、該包装体からの木材チップの木粉の放出を確実に抑えつつも、木材チップの木香等については外部に放出させることができる。
【００３２】
よって、スギやヒノキ等の木材チップを内部に収容する木材チップ包装体及び木材チップ包装体入り枕において、花粉症等のアレルギー性疾患に対して、人に木材チップの木香等を吸引させつつも、粉塵となった木粉を吸引しないようにできる。
【図面の簡単な説明】
【００３３】
【図１】本発明の実施形態にかかる木材チップ包装体の全体斜視図である。
【図２】木材チップ包装体内部に収容される木材チップの全体平面図である。
【図３】エアフィルタ材の捕集効率の実験結果を示した表である。
【図４】木材チップ包装体を入れた木材チップ包装体入り枕の前方からの全体斜視図である。
【図５】木材チップ包装体入り枕の内容物を示した斜視図である。
【図６】木材チップ包装体入り枕から内容物を一部出した状態を示す斜視図である。
【図７】木材チップ包装体入り枕を使用した実験結果を示した表である。
【発明を実施するための形態】
【００３４】
以下、本発明の実施形態を、図面に基づいて詳細に説明する。尚、以下の好ましい実施形態の説明は、本質的に例示に過ぎず、本発明、その適用物、或いはその用途を制限することを意図するものではない。
【００３５】
図１は、本発明の実施形態にかかる木材チップ包装体の全体斜視図、図２は木材チップ包装体内部に収容される木材チップの全体平面図、図３はエアフィルタ材の捕集効率の実験結果を示した表、図４は木材チップ包装体を内部に入れた木材チップ包装体入り枕の前方からの全体斜視図、図５は木材チップ包装体入り枕の内容物を示した斜視図、図６は木材チップ包装体入り枕から内容部を一部出した状態を示す斜視図、図７は木材チップ包装体入り枕を使用した実験結果を示した表である。
【００３６】
図１に示すように、本実施形態の木材チップ包装体１は、外側をポリプロピレン製のエアフィルタ材で構成した袋体２を有し、この袋体２の内側に、スギの薄板チップ材で構成したスギチップ３（木材チップ）が収容されて構成されている。
【００３７】
前記袋体２は、具体的には、長尺矩形の１枚のエアフィルタ材２０を中央位置で折り曲げて、その中央位置を一辺２１として、残りの三辺２２、２３、２４を、それぞれ縫合糸２５で縫合することで、内部に収容空間を持つ袋として構成している。このエアフィルタ材２０は、後述する実験結果によって、エアフィルタ区分が中性能であって、捕集効率が、ＪＩＳ規格において、ＪＩＳ  Ｂ  ９９０８：２００１の試験方法形式２における比色法で、６５％とされたエアフィルタを用いている。なお、袋体のサイズは、例えば、スギチップ２を収容した状態で、幅が約４４０ｍｍ、長さ約３００ｍｍ、厚みが約４０ｍｍとして構成されている。
【００３８】
また、図２に示すように、前記スギチップ３は、木材のカンナ加工によって排出されるカンナ屑のようなカール状に巻いた薄板のチップ材３０で形成されており、１つのチップ材３０は、厚みが約０．０１ｍｍ〜１ｍｍ、幅が約０．１ｍｍ〜３０ｍｍ、長さが約１ｍｍ〜２００ｍｍの大きさで構成されている。このスギチップ３は、図２に示すように、大量のチップ材３０…を集合させることによって、袋体２内の充填物として構成している。
【００３９】
このスギチップ３は、例えば、天然の木材である天然杉を約１年間、屋外（外気温は約０℃〜６０℃、好ましくは、０．１℃以上５５℃未満。）で保管して、乾燥させた（いわゆる「低温乾燥処理」した）、乾燥杉を、切削加工等することによって製造している。
【００４０】
こうした低温乾燥処理した乾燥杉を用いることで、天然杉の中に存在する「天然酵素」が加熱よって活性が失われる（失活）ことがないため、スギチップ３への加工後においても、スギチップ３内に、花粉症の免疫力向上に、効果の高い「天然酵素」を、そのままの状態で存在させることができる。なお、天然杉の保管期間は、この１年に限定されず、半年から５年程度の期間を経たものであってもよい。
【００４１】
また、スギチップ３をカール状に巻いた薄板のチップ材３０で形成したことで、袋体２内に入れた状態でも、隣り合うチップ材３０…同士が重なり合うことがないため、最大限にスギチップ３の表面積を確保することができ、より効果的に天然酵素や木香を放出することができる。
【００４２】
次に、袋体２を構成するエアフィルタ材２０の材質を決定するために行った実験について説明する。
【００４３】
この実験は、各サンプルのエアフィルタ（厚み０．９±０．２ｍｍ）によって構成した袋体（幅４４０ｍｍ、長さ３００ｍｍ、厚さ４０ｍｍ）に、粉状となったスギ粉（粉塵径約１０μｍ〜１０００μｍ：平均粒径１００μｍ）を入れて、一定の圧力（１０ｋＰａ）を与えるという動作を、３０回／分で、反復して行い、３０分間にわたり、計９００回繰り返し、スギ粉の外部飛散の状況を確認したものである。
【００４４】
この実験で用いたサンプルエアフィルタは、ＪＩＳ規格の「換気用エアフィルタユニット・換気用電気集じん器の性能試験方法［ＪＩＳ  Ｂ  ９９０８：２００１］」で試験方法形式２で定められた比色法において、捕集効率が、４０％、６５％、９０％として規定された３種類のエアフィルタである。
【００４５】
この実験で得られた結果が、図３に示す表である。この表に示すように、スギ粉の粉塵である粉塵径１０μｍの捕集効率は、捕集効率４０％のエアフィルタでは、８９％という結果しか得られないが、捕集効率６５％のエアフィルタと捕集効率９０％のエアフィルタでは、９９％という、ほぼ全てを捕集する結果が得られている。捕集効率９０％のエアフィルタについては、さらにより小さな粉塵径５μｍについても、９９％の結果が得られている。なお、ここで、粉塵径２μｍと粉塵径５μｍは、スギ粉よりも小さい微粒子の粉塵の径である。
【００４６】
これらの結果から、粉塵径が１０μｍ以上であるスギ粉の粉塵を、ほぼ完全に捕集できるのは、捕集効率が６５％以上のエアフィルタであることが分かる。
【００４７】
一方、花粉症の免疫力向上に効果の高い「天然酵素」については、径が５〜２０ｎｍ（ナノメートル）しかないため、捕集効率が６５％以上のエアフィルタであっても通過する。また、木香についても、空気を通過させることができるエアフィルタであれば、当然通過する。
【００４８】
こうしたことから、本実施形態では、袋体２を構成するエアフィルタ材２０を、前述のように捕集効率が比色法で６５％のエアフィルタとしている。これにより、人体に健康被害を与える粉塵の外部への放出を防ぎつつも、花粉症の免疫力を向上させる天然酵素や木香については外部へ放出させることができるのである。
【００４９】
こうして木材チップ包装体１を構成することで、木材チップ包装体１からのスギチップ３の粉塵の放出は、確実に抑えつつも、天然酵素や木香については外部に放出させることができる。このため、人に天然酵素を吸引させつつも、粉塵となるスギ粉の吸引については防ぐことができる。
【００５０】
よって、スギ花粉症に対して、人にスギの天然酵素を吸引させつつも、粉塵となったスギ粉の吸引を防ぐことができるため、スギ花粉症に対する免疫力を高めつつも、スギ粉吸引による健康被害を防止することができる。
【００５１】
この木材チップ包装体１は、様々な場所や、モノで使用することができる。例えば、室内に設置しておくことで、室内の空気中にスギの木香や天然酵素が放出されるため、人は、その室内でスギの木香や天然酵素を吸い込むことができ、スギ花粉症の免疫力を向上させることができる。特に、エアコンや扇風機など、空気流動が生じる場所の近くに設置した場合には、多くのスギの木香や天然酵素を早期に室内中に飛散させることができるので、人により多くのスギの木香や天然酵素を吸い込ませることができる。
【００５２】
また、木材チップ包装体１を薄く構成して、この薄く構成した包装体１をマスクの中に入れ込んで構成してもよい。この場合には、人が直接、スギの木香や天然酵素を吸い込むことができるため、より確実にスギの木香や天然酵素を吸い込むことができる。
【００５３】
さらに、木材チップ包装体１を厚く構成して、この厚く構成したものを、室内や自動車の車内等で使用するクッション体としてもよい。この場合には、さらにクッション性を高めるために綿や発泡ウレタン等のクッション素材を加えるのが好ましい。このように、木材チップ包装体１をクッション体として室内や車内で使用した場合には、室内や車内のインテリア用品として使用しつつも、スギの木香や天然酵素を外部に放出させることができる。
【００５４】
加えて、木材チップ包装体１を、枕として使用することも考えられる。この枕として使用する場合には、木材チップ包装体１だけで、枕を構成することも考えられるが、他のクッション体と共に枕を構成して、木材チップ包装体１を一つのクッション層として構成することも考えられる。
【００５５】
そこで、次に、この木材チップ包装体１を使用した本実施形態の木材チップ包装体入り枕Ｐ（以下、枕Ｐとする）について、図４〜図６を使って説明する。
【００５６】
図４に示すように、前記の枕Ｐは、外表面を通気性の高いメッシュ生地で形成したメッシュ袋（枕袋）４で構成している。そして、このメッシュ袋４はその一端の開口部４０が面ファスナー４０，４１で開閉自在となるように構成されて、メッシュ袋４の内部には、図６に示すように３つのクッション部材（クッション層）１，５，６が入れられている。
【００５７】
この３つのクッション部材１，５，６は、図５に示すように、前述の木材チップ包装体１と、矩形薄形の発泡ウレタン材５と、複数のプラスチックパイプチップ６１…を入れたパイプ袋体６と、で構成されている。
【００５８】
そして、図６に示すように、下側から上側へ順番に、木材チップ包装体１、発泡ウレタン材５、パイプ袋６、の順で積層されており、図４に示す枕の使用状態では、図示しないが、図６の状態から上下反転されて、枕の上側位置に木材チップ包装体１、中央位置に発泡ウレタン材５、枕の下側位置にパイプ袋６、がそれぞれ位置するように、枕Ｐ内部で積層されている。
【００５９】
前述の発泡ウレタン材５は、枕本来の矩形形状を維持するために枕Ｐ内部に入れており、この発泡ウレタン材５が存在することで、木材チップ包装体１のスギチップ３が長期間の使用によって粉々に崩れて、木材チップ包装体１の形状が維持できない状態になっても、枕Ｐの矩形形状が維持できるようになっている。なお、この発泡ウレタン材５は、ある程度の厚みと剛性があれば、一般的なエアフィルタによって代替えすることもできる。
【００６０】
前述のパイプ袋６は、前記メッシュ袋４のメッシュ生地よりもメッシュ目の小さいメッシュ生地で構成されたメッシュ中袋６２と、中に入れられる複数のプラスチックパイプチップ６１によって構成されている。このプラスチップパイプチップ６１は、中空パイプ状のプラスチック材によって構成されており、比較的容易に変形するようになっている。このパイプ袋６は、枕Ｐの冷却効率と通風性を高めるために、枕Ｐ内部に入れられており、また、枕Ｐの高さ調整を行うためにも入れられている。
【００６１】
このように、本実施形態の枕Ｐでは、前述の木材チップ包装体１と同様に、人体に健康被害を与えるスギ粉の粉塵の放出を防ぎつつも、花粉症の免疫力を向上させる天然酵素や木香については放出することができる。
【００６２】
また、枕Ｐ内部には、３つのクッション部材１，５，６を積層し、特に枕Ｐの表側である上側位置に木材チップ包装体１（第一クッション層）を配置して、枕Ｐの裏側である下側位置にパイプ袋６（第二クッション層）を配置している。
【００６３】
このため、本実施形態の枕Ｐでは、スギチップ３の木香や天然酵素の吸い込み量を、使用者のニーズに応じて調整することができる。
【００６４】
すなわち、使用者が木香や天然酵素を多めに吸い込みたい場合には、木材チップ包装体１が表側（上面側）となるように枕を使用すれば、使用者の頭部（図示せず）の下に木材チップ包装体１が位置するため、多くの木香や天然酵素を吸い込むことができる。一方、使用者が木香や天然酵素の吸い込み量を少なくしたい場合には、パイプ袋６が表側（上面側）となるように、枕Ｐを裏返して使用すれば、使用者の頭部（図示せず）の下には、木材チップ包装体１は位置せず、発泡ウレタン材５やパイプ袋６と敷き布団（図示せず）の間に、木材チップ包装体１が位置するため、木香や天然酵素の放出が少なくなり、結果的に木香や天然酵素の吸い込み量を少なくできるのである。
【００６５】
よって、本実施形態の枕Ｐによると、スギチップ３の木香や天然酵素の吸い込み量を、使用者の好みに応じて、自由に調整することができる。
【００６６】
次に、このようにスギチップ３を入れた木材チップ包装体１を、枕Ｐ内に入れて使用した場合における、花粉症患者の症状をまとめた表が、図７である。
【００６７】
図７にあるように、合計９名（Ａ〜Ｉ）をモニターとして、本実施形態の枕Ｐを使用してもらった。使用開始時期は、２０１１年の７月１０日である。
【００６８】
各モニターの「年齢」と「性別」、「花粉症歴」は、表にあるように様々異なる。また、各モニターの「使用状況」については、Ｅの３０代男性が翌年の１月頃まで使用していたが、その後不使用であり、Ｉの１０代女性が１週間で使用をやめている。その他の７名は、ほぼ毎日使用したという使用状況であった。
【００６９】
以上のようにして、各モニターが、枕Ｐを使用した結果、「症状」にあるように、使用を１週間でやめたＩの女性を除いて、８名全てがスギ花粉症の季節（２０１２年３月末まで）に、花粉症の症状がなく、又は緩和された。このことから、６か月程度の枕Ｐの継続使用によって、花粉症に対して効果があることが分かった。また一方で、一時的に使用しても長期間使用しなければ、体内の免疫力は向上せず、花粉症には効果がないことも分かった。
【００７０】
さらに、一部のモニターＡ、Ｂ、Ｄ、Ｇについては、２０１２年４月初めのころから急に症状が発生するという状況が生じた。この４月初めの時期は、一般に、ヒノキ花粉に対するアレルギー症状が発生する季節に該当するが、このモニターＡ、Ｂ、Ｄ、Ｇはヒノキ花粉のアレルギー症状も有しているため、今回の本実施形態では、実施形態の枕Ｐがスギ花粉の花粉症に対しては効果があるものの、他の花粉症に対しては効果がないことも分かった。
【００７１】
加えて、今回のモニターの方全員が、粉塵等を吸引することによる、咳や肺炎等の疾患が発生することはなかった。これは、袋体２を構成するエアフィルタ材２０を、ＪＩＳ  Ｂ  ９９０８：２００１で規定された試験方法形式２の比色法で、捕集効率が６５％のエアフィルタで構成して、スギ粉の粉塵を確実に外部に放出しないようにしていたからであり、このことも、この図７から分かった。
【００７２】
以上のように、本実施形態の枕Ｐによると、スギ花粉症に対して、人にスギの天然酵素を吸引させつつも、粉塵となったスギ粉の吸引を防ぐことができるため、スギ花粉症に対する免疫力を高めつつも、スギ粉吸引による健康被害を防止することができる。
（その他の実施形態）
このように、本実施形態では、スギ花粉症に対して免疫力を高め、アレルギー性の症状をなくすことができること分かったが、本発明は、これに限定されるものではない。例えば、スギチップに替えて、天然の桧木材から製造したヒノキチップを入れて、木材チップ包装体を構成してもよい。この場合には、ヒノキ花粉症に対して効果を生じさせることができる。また、スギチップに加えてヒノキチップを混入して、２種類の木材で、木材チップ包装体を構成してもよい。この場合には、スギ花粉症だけではなく、ヒノキ花粉症に対しても効果を生じさせることができる。よって、この木材チップ包装体を使用した場合には、前記したモニターＡ、Ｂ、Ｄ、Ｇも、花粉症の症状をなくすことができる。
【００７３】
さらに、例えば、ネズ、シラカンバ、ハンノキ、オオバヤシャブシ、コナラ、リンゴ、ウメ、ツバキ、ヤマモモ、イチイ、バラ、ヤナギ、マツ、イチョウ、ナシ、サクランボ、サクラ、オオバヤシャブシ、ケヤキ、モモ、クリ、コウヤマキ、クルミ、アカシア、ミカン、オリーブ、ブドウ、キョウチクトウ等といった、花粉症の原因となる木材を、チップ化して、木材チップ包装体として構成してもよい。この場合にも、各樹木の花粉症に対する効果を得ることができる。
【００７４】
さらに、例えば、カモガヤ、オオアサガエリ、ハルガヤ、ホソモギ、スズメノカタビラ、スズメノテッポウ、ヨモギ、ブタクサ、オオブタクサ、カナムグラ、ヒメスイバ、ギシギシ、カラムシ、アフリカキンセンカ、アブラナ、イネ、イエローサルタン、ハルジオン、イタリアンライグラス、除虫菊、カモガヤ、イチゴ、ナデシコ、オオバコ、ケンタッキー３１フェスタ、ヒメガマ、ピーマン、ウイキョウ、テンサイ、グロリオサ、コスモス、キク、タンポポ、等といった、花粉症の原因となる植物の小片を追加して、木材チップ包装体に入れてもよい。この場合には、樹木の花粉症に加えて、草などの花粉症に対する効果を得ることができる。
【００７５】
また、木材チップ包装体１を枕Ｐに入れる場合に、頭部とのフィット感を高めるために、新たに、低反発ウレタン材（図示せず）などの枕を入れてもよい。この場合には、木材チップ包装体１よりも、上側位置（表側）に低反発ウレタン材を配置するのが好ましい。
【００７６】
そのほか、様々なものを、木材チップ包装体１内や枕Ｐ内に入れてもよい。
【産業上の利用可能性】
【００７７】
以上説明したように、本発明にかかる木材チップ包装体及び木材チップ包装体入り枕は、例えば、スギ花粉症等のアレルギー性疾患に対して、免疫力を高めて症状の発生をなくす又は緩和する木材チップ包装体及び木材チップ包装体入り枕において有用である。
【符号の説明】
【００７８】
１…木材チップ包装体（第一クッション層）
２…袋体
３…スギチップ（木材チップ）
４…メッシュ袋（枕袋）
５…発泡ウレタン材
６…パイプ袋体（第二クッション層）
２０…エアフィルタ材
３０…チップ材
Ｐ…木材チップ包装体入り枕
【図１】
2014171516.tif 000003
【図２】
2014171516.tif 000004
【図３】
2014171516.tif 000005
【図４】
2014171516.tif 000006
【図５】
2014171516.tif 000007
【図６】
2014171516.tif 000008
【図７】
2014171516.tif 000009